(57)【要約】【課題】本発明は、縦長画像、文章等の表現物において、インターネットを介し閲覧する場合の視覚効果を最大限に表現する方法の提供である。【解決】マウスの押下を検出する表示手段と，ツールバー等の表示位置変更ボタンを有し、ウィンドウ画面上下部横方向に表示されたツールバー等の全てをウィンドウ画面側面に配置するツールバー等の側部変更表示手段、および前記縦方向で多階層、かつ横書きで表示されたツールバー等の表示位置並べ替えボタンを有し、配置を任意で換えられるツールバー等の表示位置並べ替え手段と、前記側部変更表示状態、表示位置並べ替え状態を主記憶装置に格納し、再起動の際呼び出し実行する表示位置設定格納手段、また、プラグインモジュール等による表示処理によりツールバー等の自動変更表示手段が可能なことを備え視覚領域をウィンドウ上下部に最拡大する視覚領域上下拡大手段をもって縦長画像の閲覧に適したことを特徴とするグラフィカル・ユーザー・インターフェイスの表示システム【選択図】  図１
2007115214.tif 000002
【特許請求の範囲】
【請求項１】
ディスプレイ、マウス等の入出力装置と、グラフィカル・ユーザー・インターフェイスとを備えたソフトウェアにおける、グラフィカル・ユーザー・インターフェイスの表示システムにおいて、前記マウスの押下を検出するツールバーなどの全バー表示手段と、前記全バーの表示位置変更ボタンを有し、ウィンドウ画面上下部横方向に表示されたツールバー、タイトルバー、ステイタスバーなどの全てをウィンドウ画面側部に配置する全バー側部変更表示手段、および前記縦方向で多階層、かつ横書きで表示された全バーの表示位置並べ替えボタンを有し、配置を任意で換えられる全バー表示位置並べ替え手段、および前記側部変更表示状態、表示位置並べ替え状態を主記憶装置に格納し、ソフトウェア再起動の際呼び出し実行する表示位置設定格納手段を備えアプリケーションにおける視覚、作業領域をウィンドウ上下部に最拡大し、縦長画像の閲覧に適したことを特徴とするソフトウェアにおけるグラフィカル・ユーザー・インターフェイスの表示システム
【請求項２】
ディスプレイ、マウス等の入出力装置と、グラフィカル・ユーザー・インターフェイスとを備えたソフトウェアにおける、グラフィカル・ユーザー・インターフェイスの表示システムにおいて、前記マウスの押下を検出するツールバーなどの全バー表示手段と、前記全バーの表示位置変更ボタンを有し、ウィンドウ画面上下部横方向に表示されたツールバー、タイトルバー、ステイタスバーなどの全てをウィンドウ画面側部に配置する全バー側部変更表示手段と、前記縦方向で多階層、かつ横書きで表示された全バーの表示位置並べ替えボタンを有し、配置を任意で換えられる全バー表示位置並べ替え手段と、前記側部変更表示状態、表示位置並べ替え状態を主記憶装置に格納し、再起動の際呼び出し実行する表示位置設定格納手段、およびインターネット閲覧ソフトにおいて送信されたデータ、ファイルに付加された側部変更表示情報、表示位置並べ替え情報の実行により、データ、ファイルの形状、性質に適応させる全バーの自動変更表示手段と、を備えアプリケーションにおける視覚、作業領域をウィンドウ上下部に最拡大し、データ、ファイルの状態にグラフィカル・ユーザー・インターフェイスの形式を当てはめることにより縦長画像の閲覧に適したことを特徴とするソフトウェアにおけるグラフィカル・ユーザー・インターフェイスの表示システム
【請求項３】
全バーに代えツールバーのみの側部変更表示手段を備え縦長画像の閲覧に適したことを特徴とする請求項１から２のいずれか１に記載のソフトウェアにおけるグラフィカル・ユーザー・インターフェイスの表示システム
【請求項４】
ディスプレイ、マウス等の入出力装置と、グラフィカル・ユーザー・インターフェイスとを備えたソフトウェアにおける、グラフィカル・ユーザー・インターフェイスの表示システムにおいて、書式変更表示ボタンを有し、縦方向に表示されたツールバー、タイトルバー、ステイタスバーなどの全バーを多並列、かつ縦書きで表示する書式変更表示手段、および前記書式変更表示状態を主記憶装置に格納し、ソフトウェア再起動の際呼び出し実行する表示位置設定格納手段と、を備え縦長画像の閲覧に適したことを特徴とする請求項１から３のいずれか１に記載のソフトウェアにおけるグラフィカル・ユーザー・インターフェイスの表示システム
【請求項５】
ディスプレイ、マウス等の入出力装置と、グラフィカル・ユーザー・インターフェイスとを備えたソフトウェアにおける、グラフィカル・ユーザー・インターフェイスの表示システムにおいて、表示格納表示ボタンを有し、ツールバー、タイトルバー、ステイタスバーなどの全バー格納しウィンドウ上に表示しない、全バー表示格納表示手段を備え縦長画像の閲覧に適したことを特徴とする請求項１から４のいずれか１に記載のソフトウェアにおけるグラフィカル・ユーザー・インターフェイスの表示システム
【請求項６】
表示位置並べ替えボタンに代え全バーをディスプレイ、マウス等の入出力装置によりドラッグし移動させることで行われる全バー表示位置並べ替え手段を備え縦長画像の閲覧に適したことを特徴とする請求項１から５のいずれか１に記載のソフトウェアにおけるグラフィカル・ユーザー・インターフェイスの表示システム
【請求項７】
ソフトウウェアにおける、グラフィカル・ユーザー・インターフェイスの表示方法であって、メニューを階層表示し、機能を視覚化したボタンを横方向に並べたツールバー、タイトルバー、ステイタスバーなど全バーをウィンドウ画面の側面に縦方向で多階層、かつ横書き、または縦方向で多並列層、かつ縦書きで表示する全バー側部表示のステップ、および側面に表示する効果により、ファイルの内容を閲覧するビューア機能の視覚、作業領域を上下部に最拡大するステップと、を備え縦長画像の閲覧に適したことを特徴とするソフトウェアにおけるグラフィカル・ユーザー・インターフェイスの表示方法
【発明の詳細な説明】
【技術分野】
【０００１】本発明は、ソフトウェアにおけるグラフィカル・ユーザー・インターフェイス（ＧＵＩ）の表示システムに関する。
【背景技術】
【０００２】近年、ネットワークを介し様々な画像、映像、文章などが個人の手によってＷＥＢ上で公開されている。
本発明は、ソフトウェア、特にＷＥＢブラウザにおけるグラフィカル・ユーザー・インターフェイス（ＧＵＩ）の表示システムに関するものである。【０００３】現在、ブラウザの表示方式は、横長の画像に適したものとなっており、横書きになった文章、画像が出てきた場合、それを縦方向にスクロールすることで閲覧する様式になっている。【０００４】縦長画像が表示された場合、ブラウザの全画面表示で、解決することもできるが、それでも上下に多少のツールバー（標準のバー）、ステイタスバー表示が残り、上下の長さが最大限に利用されているとはいえない。また、視覚的にみても、最初に視線が行く場所が、ツールバーではなく画像である方がより効果的印象を与える。
例えば、コミックの場合、上から下へと目線が移動を行う、その時いちばん最初に視線が行くのがツールバーというのは視覚効果を最大限発揮できているとはいえない。逆に全画面表示があるために、本発明に結びつかない、また必要性がないという観念を生み出していた。【０００５】
【特許文献１】特許公開平１０−９１３８４  請求項１は、グラフィカルユーザーインターフェイス（ＧＵＩ）を備えたソフトウェアにおける、ツールバーの表示位置に関して記述である。しかし、前記特許公開平１０−９１３８４  請求項１に関してのツールバー表示位置はウウィンドウ画面の隅に横方向に横書き小規模で表示され、なおかつタイトルバー、ステイタスバーに関しての言及はない。
【課題】
【０００６】本発明は、縦長画像、縦書き文章等の表現物において、主にインターネットを介し閲覧する場合、およびビューア等のソフトウェアを使用する場合の、視覚効果を最大限に表現する方法と、送信されたデータ、ファイル等にＷＥＢブラウザの形式を自動変更し当てはめるための方法と提供である。
【解決】
【０００７】本発明は、ＷＥＢブラウザ、つまりソフトウェアにおける、グラフィカル・ユーザー・インターフェイス（ＧＵＩ）の表示システムであって、縦長画像、および縦書きの文章などの表現物の閲覧に適するためのものである。
【０００８】例として漫画の場合で説明する。通常漫画は、見開き２ページで見るものとされている。本として手元に届いたときの通常の見方である。しかし、ＷＥＢで漫画を前記方式で閲覧しようとすると、２ページでの表示は圧縮され読みづらくなるという欠点がある。そこで、１ページずつの表示というのが視覚効果としては適したものとなり、更に視覚効果を上げるために上下ツールバー、タイトルバー、ステイタスバーなどの全バーをウィンドウ左右側部に位置変更し、上下視覚領域を可能な限り広げる。
【０００９】スクロールを使い全体を見るという方法があるが、全体を１枚の絵で表現する画像、文章（書道）などの場合、初見で全体を見られないということは効果的表現を与えるとは言えず、やはり適しているとは言えない。全画面表示で補うことも出来るが、それでも上下に多少のスペースを必要とする。仮に、Ｂ５番をスキャンした画像をホームページにアップした場合、上下の合計の長さが８％伸びると、全体が拡大され、画像表示面積にして約１６％も増えることとなる。またウィンドウ上にツールバー等をかぶせた場合、上部にふきだし（セリフ）が、隠れて見えなくなることが考えられる。そのため、ウィンドウ画面上下部最拡大という目的は果たせない。そこで、ツールバー（メニュー、標準、アドレス、リンクバー等）、タイトルバー、ステイタスバー（スクロールバー）などの全バーをウィンドウ画面側面に配置することにより、前記課題を解決する。
【００１０】本システムは、中央処理装置（ＣＰＵ、プロセッサ等）、主記憶装置（ハードディスク、メインメモリ等）、表示装置（ディスプレイ）、入力装置（マウス、キーボード等）からなり、入力装置によってユーザーが指定した作業において、主記憶装置に格納されたアプリケーションが、中央処理装置により演算、実行され、表示装置によって表示される。
【００１１】（図１）に表示例を挙げて説明する。請求項１は、メニューを階層表示（メニュー、標準、アドレス、リンクバー等）し、機能を視覚化したボタンを横方向に並べたツールバー（ブラウザにおいては、メニューバー、標準のバー、アドレスバー、リンクバー、タスクバー、スクロールバーなどである）、をウィンドウ画面の側部に縦方向で多階層、かつ横書きで（図４）表示する。
【００１２】（図１）では、タイトルバー、ステイタスバー（スクロールバー）を左側側部に表示しているが、タイトルバー、ステイタスバー、を右側部ツールバーと一緒に並べてもかまわない。同様に、ツールバー、タイトルバー、ステイタスバーを右側部に全て表示してもかまわない。また、ツールバーのうちメニューバー、標準のバー、アドレスバー、リンクバー、タスクバー、スクロールバーを個別に配置、並び替えし行われてもかまわないのとする。そのユーザーによるカスタマイズの設定は、表示位置並べ替えボタン（ＧＵＩ上に表示されたアイコン）による表示位置並べ替え手段で行う。
【００１３】この場合、予め記憶されてる配列パターンの中から選択する方法と、マウス右ボタン押下によるドラッグによる並び替え方法がある（請求項５）。各変更ボタンは、ツールバー上、またはアプリケーション視覚領域上に表示させてもかまわない。
【００１４】また、図１における（Ｃ）領域には、広告を縦長で挿入できるものとする。
【００１５】請求項２は、請求項１におけるソフトウェアにおけるグラフィカル・ユーザー・インターフェイスの表示システムをインターネット閲覧ソフト（ＷＷＷブラウザ）における、グラフィカル・ユーザー・インターフェイスの表示システムに限定し、インターネット閲覧ソフトにおいて送信されたデータ、ファイルに付加された側部変更表示情報、表示位置並べ替え情報をプラグインモジュール等によって表示処理し、データ、ファイルの形状、性質に適応させたツールバー、タイトルバー、ステイタスバーの自動変更表示を可能とするものである。なお請求項２は、送信されたデータ、ファイルに付加された側部変更表示情報、表示位置並べ替え情報での表示後、カスタマイズによる変更設定が行われるものとする。
【００１６】また、ディスプレイのサイズの違いによる画像表示が問題となるが、その場合ＰＤＦ（ポータブルドキュメントフォーマット）などのプログラムをプラグインと併用し使用する。
【００１７】しかし、高速化のためにＰＤＦを使用せず、単にディスプレイの縦幅とデータ、ファイルに含まれた画像の情報を読み取り、ディスプレイの縦の長さと画像の縦の長さを同調させるプログラムを備え、プラグインで行われることが好ましい。
【００１８】これにより、情報提供者（サーバ側）の最も与えたい表現を前記情報提供者側が設定できることとなる。このとき、情報提供者は、ＷＥＢページの基準点を算出しツールバー、タイトルバー、ステイタスバーなどを左右に表示されたとき画像を視覚領域の中央に来るように設定することが好ましい。
【００１９】請求項３は、ツールバー、タイトルバー、ステイタスバーの全てに代えツールバーのみ（メニューバー、標準のバー、アドレスバー、リンクバー等）をウィンドウ画面のみで側部変更表示して行われる。これは、視覚による効果を最大限に発揮できるとはいいがたいが、Ｉｎｔｅｒｎｅｔ  Ｅｘｐｌｏｒｅｒ（Ｍｉｃｒｏｓｏｆｔ社商標）による全画面表示よりも、ツールバー（メニュー、アドレス、リンクバー）、タイトルバー、ステイタスバーの表示がある割合分、縦長の画像、データ、ファイルの閲覧（縦長画像、および縦書きの文章などのネットサーフィン）に適しているといえる。
【００２０】請求項４においては、ツールバー、タイトルバー、ステイタスバーなど全バーの表示領域内のアイコン、文字の形式に関するものであり、書式変更表示ボタン押下により行われる。請求項１は、多階層、かつ横書き表示で行われ、請求項２は、多並列層、かつ縦書で行われる（図４）。また、書式の変更はバーごとに個別に変更できることが好ましい。
【００２１】請求項５は、ツールバー、タイトルバー、ステイタスバーのすべてを格納し最全面表示を可能にしている。変更は、表示格納表示ボタン（ＧＵＩ上に表示されたアイコン）で行い、再表示も表示格納表示ぼたんで行うものとする。
【００２２】請求項６は、前記並べ替えパターンデータ５０（図３）の配置モデルで行われる表示位置並べ替え手段にかえて、マウスの押下によるドラッグにより、各ツールバー（メニューバー、標準のバー、アドレスバー、リンクバー等）、タイトルバー、ステイタスバーなど全バーを移動させる配置変更で表示位置並べ替え手段が行われる。
【００２３】請求項７は、ソフトウェアにおけるグラフィカル・ユーザー・インターフェイスの表示方法に関してのものである。
【発明を実施するための最良の形態】
【００２４】図２は、ＷＥＢブラウザ起動におけるツールバー、タイトルバー、ステイタスバーが標準のウィンドウ画面上下部横方向に表示された場合の中央処理装置が行う動作手順を簡単に示している。最初に（Ｓ１）は、ツールバー、タイトルバー、ステイタスバーの配置位置がユーザーから指定されているか判断する。次に、（Ｓ２）は、ユーザーからの設定がない場合にデフォルトの表示方式で行われる。（Ｓ３）は、ユーザーからの設定が予めある場合の表示方式である。（Ｓ４）は、ユーザーにより全バー表示における、側部変更表示、表示位置並べ替え、書式変更表示などのカスタマイズの設定を行う。【００２５】（図３）は、グラフィカル・ユーザー・インターフェイス表示システムのインターフェイスとなるパラメータエリア構造（主にメインルーチン、サブルーチン間の何を呼び出し、何を実行させるかという、やり取りの間の構造という意味）と動作方式を示す図である。以降、ＷＥＢブラウザ画面を実施例として説明する。ＷＥＢブラウザ起動時にツールバー、タイトルバー、ステイタスバーが、標準のウィンドウ画面上下部横方向に表示されている場合、表示位置変更ボタン２０を入力装置１１で押下すると、表示手段３０は、側部変更表示手段３１を呼び出し、出力装置７０のウィンドウ画面の側面にツールバー、タイトルバー、ステイタスバーなど全バーを縦方向で多階層、かつ横書きで表示する。【００２６】このとき、閲覧領域における画像、縦書き文章をウィンドウ中央に納めるため、ツールバー（メニューバー、標準のバー、アドレスバー、リンクバー等）、タイトルバー、ステイタスバー（スクロールバー）が左右に同幅員になるように配置されることが好ましい。閲覧領域における縦長画像、縦書き文章が左上部を基準点（画像が左上部に配置した場合）とする場合は、右側部。閲覧領域における縦長画像、縦書き文章が右上部を基準点とする場合は、左側部となることが好ましい。【００２７】同時に表示位置設定情報格納手段４０を呼び出し前記ウィンドウ画面の側面に縦方向で多階層、かつ横書きで表示された変更状態データを主記憶装置６０に格納する。【００２８】次回よりＷＥＢブラウザを起動すると縦方向で多階層、かつ横書きでツールバー、タイトルバー、ステイタスバーの全てを表示する。解除（デフォルトの設定）は、上記表示位置変更ボタン２０を入力装置１１で押下の手順で行われる。また、ＷＥＢサイトにおける広告などは（図１）における（Ｃ）の領域に縦長方式で挿入することが好ましい。【００２９】また、前記ウィンドウ画部の側面に縦方向で多階層、かつ横書きで表示された全バーの変更状態データ、および表示をユーザーによる任意で配置変更したい場合の実施例の説明をする。
ウィンドウ画面で、ツールバー（メニューバー、標準のバー、アドレスバー、リンクバー等）、タイトルバー、ステイタスバー（スクロールバー）を縦方向で多階層、かつ横書きで表示している時、表示位置並べ替えボタン２１を入力装置１１で押下すると、表示手段３０は、表示位置並べ替え手段３２を呼び出し、更に並べ替えパターンデータ５０を呼び出し、出力装置７０のウィンドウ画面にツールバー、タイトルバー、ステイタスバーの配置モデルを表示する。ユーザーは、その中から好みの配置のものを選択する。同時に表示位置設定情報格納手段４０を呼び出し前記ウィンドウ画面の選択データを主記憶装置６０に格納する。
これにより、次回よりＷＥＢブラウザを起動するとユーザーが前記選択の際のツールバー、タイトルバー、ステイタスバーの配置状態で表示する。【００３０】更に、前記ウィンドウ画面の側面に縦方向で多階層、かつ横書きで表示された全バーの変更状態データ、および表示をユーザーによる任意で書式変更したい場合の実施例の説明をする。この場合の書式とは、主に縦書き表示か、横書き表示化を示す。
ウィンドウ画面で、ツールバー（メニューバー、標準のバー、アドレスバー、リンクバー等）、タイトルバー、ステイタスバー（スクロールバー）を縦方向で多階層、かつ横書きで表示している時、書式変更表示ボタン２２を入力装置１１で押下すると、表示手段３０は、書式変更表示手段３３を呼び出し、更に書式パターンデータ５１を呼び出し、出力装置７０のウィンドウ画面にツールバー、タイトルバー、ステイタスバーの書式モデルを表示する。ユーザーは、その中から好みの配置のものを選択する。同時に表示位置設定情報格納手段４０を呼び出し前記ウィンドウ画面の選択データを主記憶装置６０に格納する。
次回よりＷＥＢブラウザを起動するとユーザーが前記選択の際のツールバー、タイトルバー、ステイタスバーの書式状態で表示する。
【図面の簡単な説明】
【００３１】本発明の図の簡単な説明を以下にする。【図１】ツールバー、タイトルバー、ステイタスバーの表示位置と視覚領域最拡大の関係を実施例において説明している。（Ｃ）は、アプリケーションにおける画像外の部分である。
【図２】ＷＥＢブラウザ起動におけるツールバー、タイトルバー、ステイタスバーが標準のウィンドウ画面上下部横方向に表示された場合の中央処理装置が行う動作手順を説明している。
【図３】グラフィカル・ユーザー・インターフェイス表示システムのインターフェイスとなるパラメータエリア構造と動作方式を示す図である。
【図４】縦方向に配置したツールバーにおける、標準、リンク、アドレスバー部分の表示方法の違いを比較して示している。（Ａ）は、アイコンを示し。（ａ）は、ツールバー、（ｂ）はタイトルバー、（ｃ）はステイタスバーを示す。
【符号の説明】
【００３２】（Ｃ）アプリケーションにおける画像外の部分
（Ａ）アイコン（ボタン）
（ａ）ツールバー（メニューバー、標準のバー、アドレスバー、リンクバー等）
（ｂ）タイトルバー
（ｃ）ステイタスバー（スクロールバー等）
【図１】
2007115214.tif 000003
【図２】
2007115214.tif 000004
【図３】
2007115214.tif 000005
【図４】
2007115214.tif 000006